(57)【要約】【課題】規定フォーマットへの変換を簡便に行うことができるデータ管理装置、データ管理方法、及びデータ管理プログラムを提供すること。【解決手段】本発明にかかるデータ表示装置は、時系列履歴データを規定フォーマットのファイルに変換して、管理するデータ管理装置であって、時系列履歴データを表形式で表示する表示部１３と、時系列履歴データの配列の方向と、開始日時と、刻み時間と、開始セル位置と、を指定可能な入力部１２と、入力部１２によって指定された項目が定義された変換パターンを記憶する変換パターン記憶部２２と、変換パターンを参照して、時系列履歴データを既定フォーマットのファイルに変換する処理部１１と、を備えている。時系列履歴データが表示された状態で、配列の方向と、開始日時と、開始セル位置が指定可能である。【選択図】  図１
2009169882.tif 000002
【特許請求の範囲】
【請求項１】
時系列履歴データを規定フォーマットのファイルに変換して、管理するデータ管理装置であって、
前記時系列履歴データを表形式で表示する表示部と、
前記表形式の時系列履歴データの配列の方向と、開始日時と、刻み時間と、開始セル位置とを指定する入力部と、
前記入力部によって指定された項目が定義された変換パターンを記憶する変換パターン記憶部と、
前記変換パターンによって定義された項目を参照して、前記時系列履歴データを前記既定フォーマットのファイルに変換する処理部と、を備え、
前記入力部が、前記表形式の時系列履歴データが表示された状態において、前記配列の方向、前記開始日時、及び開始セル位置を指定可能であるデータ管理装置。
【請求項２】
時系列履歴データを規定フォーマットのファイルに変換して、管理するデータ管理装置であって、
前記時系列履歴データファイルを表形式で表示する表示部と、
前記表形式の時系列履歴データを表示した状態において、前記時系列履歴データのセル範囲と、日時のセル範囲と、を指定可能な入力部と、
前記入力部によって指定された項目が定義された変換パターンを記憶する変換パターン記憶部と、
前記変換パターンによって定義された項目を参照して、前記時系列履歴データを前記既定フォーマットのファイルに変換する処理部と、を備えるデータ管理装置。
【請求項３】
前記処理部によって変換された規定フォーマットのファイルが修正された場合、修正内容を含む変換パターンを作成する請求項１、又は２に記載のデータ管理装置。
【請求項４】
前記時系列履歴データのファイルが、建物設備の空調制御、又は電力使用に関する帳票形式のファイルであることを特徴とする請求項１乃至３のいずれか１項に記載のデータ管理装置。
【請求項５】
時系列履歴データを規定フォーマットのファイルに変換して、管理するデータ管理方法であって、
前記時系列履歴データファイルを表形式で表示するステップと、
前記表形式の時系列履歴データの配列の方向と、開始日時と、刻み時間と、開始セル位置とを指定するステップと、
前記指定するステップにおいて指定された項目が定義された変換パターンを記憶するステップと、
前記変換パターンによって定義された項目を参照して、前記時系列履歴データを前記既定フォーマットのファイルに変換するステップと、を備え、
前記指定するステップでは、前記表形式の時系列履歴データが表示された状態において、前記配列の方向、前記開始日時、及び開始セル位置を指定されるデータ管理方法。
【請求項６】
時系列履歴データを規定フォーマットのファイルに変換して、管理するデータ管理方法であって、
前記時系列履歴データファイルを表形式で表示するステップと、
前記表形式の時系列履歴データを表示した状態において、時系列履歴データのセル範囲と、日時のセル範囲と、を指定するステップと、
前記指定するステップにおいて指定された項目が定義された変換パターンを記憶するステップと、
前記変換パターンによって定義された項目を参照して、前記時系列履歴データを前記既定フォーマットのファイルに変換するステップと、を備えるデータ管理装置。
【請求項７】
前記規定フォーマットのファイルが修正された場合、修正内容を含む変換パターンを作成する請求項５、又は６に記載のデータ管理方法。
【請求項８】
前記時系列履歴データのファイルが、建物設備の空調制御、又は電力使用に関する帳票形式のファイルであることを特徴とする請求項５乃至７のいずれか１項に記載のデータ管理方法。
【請求項９】
時系列履歴データファイルを規定フォーマットのファイルに変換して、管理するデータ変換プログラムであって、
コンピュータに対して、
前記時系列履歴データを表形式で表示させるステップと、
前記表形式の時系列履歴データの配列の方向と、開始日時と、刻み時間と、開始セル位置とを指定するための入力領域を表示させるステップと、
前記指定領域において指定された項目が定義された変換パターンを記憶させるステップと、
前記変換パターンによって定義された項目を参照して、前記時系列履歴データを前記既定フォーマットのファイルに変換させるステップと、を備え、
前記表形式の時系列履歴データが表示させた状態において、前記配列の方向と、前記開始日時と、前記開始セル位置とを指定するための入力領域が表示されているデータ管理プログラム。
【請求項１０】
時系列履歴データを規定フォーマットのファイルに変換して、管理するデータ管理プログラムであって、
コンピュータに対して、
前記時系列履歴データファイルを表形式で表示させるステップと、
前記表形式の時系列履歴データが表示させた状態において、時系列履歴データのセル範囲と、日時のセル範囲と、を指定するための入力領域を表示するステップと、
前記指定領域によって指定された項目が定義された変換パターンを記憶させるステップと、
前記変換パターンによって定義された項目を参照して、前記時系列履歴データを前記既定フォーマットのファイルに変換させるステップと、を備えるデータ管理プログラム。
【請求項１１】
前記規定フォーマットのファイルが修正された場合、修正内容を含む変換パターンを作成する請求項９、又は１０に記載のデータ管理プログラム。
【請求項１２】
前記時系列履歴データのファイルが、建物設備の空調制御、又は電力使用に関する帳票形式のファイルであることを特徴とする請求項９乃至１１のいずれか１項に記載のデータ管理プログラム。
【発明の詳細な説明】
【技術分野】
【０００１】
本発明は、時系列履歴データを規定フォーマットのファイルに変換して、管理するデータ管理装置、データ管理方法、及びデータ管理プログラムに関するものである。
【背景技術】
【０００２】
近年、プラントや建物などの設備に対する監視用途として、表示装置に設備の状態を表示させている。例えば、温度計、風量計、湿度計等の設備機器で計測されたデータを表示画面上に表示させる。具体的には、建物のレイアウトが表示された平面図上に、設備機器を示すアイコンや、設備機器で計測された計測データが表示される。
【０００３】
上記の装置において、計測データを時系列に沿って記憶することで、過去の時点における設備の状態を確認することができる。しかしながら、設備には異なる種類の設備機器が多数設置されているため、その計測データのファイル形式も多様なものとなっている。すなわち、各設備機器は、一定期間の計測データを時系列履歴データファイルとして生成する。そして、各設備機器から、時系列履歴データファイルが、上記の表示装置を備える設備管理装置に転送される。このとき、設備機器が異なると、通常、時系列履歴データの形式が異なる。例えば、温度計と風量計とでは、データの配列方向や、データ取得の刻み時間等が異なっている。したがって、異なる設備機器からの時系列履歴データを規定のフォーマットで統一する必要がある。
【０００４】
特許文献２には、表計算ソフトウェアのデータをデータベースに取り込む方法が開示されている。この文献では、変換テーブルを用いてデータベースに取り込んでいる。しかし、特許文献２の方法は、経営情報等のファイルからデータを抽出するため、汎用的であり、各種変換テーブルを作成する処理が複雑になってしまう。そのため、変換作業の負担が大きくなり、作業が煩雑になってしまう。
【０００５】
【特許文献１】特開２００５−２８４７５４号公報
【発明の開示】
【発明が解決しようとする課題】
【０００６】
このように従来の方法では、異なる形式の時系列履歴データファイルを規定のフォーマットに変換する処理が煩雑になってしまうという問題点がある。
【０００７】
本発明は、このような問題点を解決するためになされたもので、規定フォーマットへの変換を簡便に行うことができるデータ管理装置、データ管理方法、及びデータ管理プログラムを提供することを目的とする。
【課題を解決するための手段】
【０００８】
本発明の第１の態様にかかるデータ管理装置は、時系列履歴データを規定フォーマットのファイルに変換して、管理するデータ管理装置であって、前記時系列履歴データを表形式で表示する表示部と、前記表形式の時系列履歴データの配列の方向と、開始日時と、刻み時間と、開始セル位置とを指定する入力部と、前記入力部によって指定された項目が定義された変換パターンを記憶する変換パターン記憶部と、前記変換パターンによって定義された項目を参照して、前記時系列履歴データを前記既定フォーマットのファイルに変換する処理部と、を備え、前記入力部が、前記表形式の時系列履歴データが表示された状態において、前記配列の方向、前記開始日時、及び開始セル位置を指定可能であるものである。これにより、時系列履歴データを確認しながら指定することができる。よって、規定フォーマットへの変換を簡便に行うことができる。
【０００９】
本発明の第２の態様にかかるデータ管理装置は、時系列履歴データを規定フォーマットのファイルに変換して、管理するデータ管理装置であって、前記時系列履歴データファイルを表形式で表示する表示部と、前記表形式の時系列履歴データを表示した状態において、前記時系列履歴データのセル範囲と、日時のセル範囲と、を指定可能な入力部と、前記入力部によって指定された項目が定義された変換パターンを記憶する変換パターン記憶部と、前記変換パターンによって定義された項目を参照して、前記時系列履歴データを前記既定フォーマットのファイルに変換する処理部と、を備えるものである。これにより、時系列履歴データを確認しながら指定することができる。よって、規定フォーマットへの変換を簡便に行うことができる。
【００１０】
本発明の第３の態様にかかるデータ管理装置は、上記のデータ管理装置であって、前記処理部によって変換された前記規定フォーマットのファイルが修正された場合、修正内容を含む変換パターンを作成するものである。これにより、規定フォーマットのファイルを容易に修正することができる。
【００１１】
本発明の第４の態様にかかるデータ管理装置は、上記のデータ管理装置であって、前記時系列履歴データのファイルが、建物設備の空調制御、又は電力使用に関する帳票形式のファイルであることを特徴とするものである。設備において適切な制御を行っているかを容易に確認することができる。
【００１２】
本発明の第５の態様にかかるデータ管理方法は、時系列履歴データを規定フォーマットのファイルに変換して、管理するデータ管理方法であって、前記時系列履歴データファイルを表形式で表示するステップと、前記表形式の時系列履歴データの配列の方向と、開始日時と、刻み時間と、開始セル位置とを指定するステップと、前記指定するステップにおいて指定された項目が定義された変換パターンを記憶するステップと、前記変換パターンによって定義された項目を参照して、前記時系列履歴データを前記既定フォーマットのファイルに変換するステップと、を備え、前記指定するステップでは、前記表形式の時系列履歴データが表示された状態において、前記配列の方向、前記開始日時、及び開始セル位置を指定されるものである。これにより、時系列履歴データを確認しながら指定することができる。よって、規定フォーマットへの変換を簡便に行うことができる。
【００１３】
本発明の第６の態様にかかるデータ管理方法は、時系列履歴データを規定フォーマットのファイルに変換して、管理するデータ管理方法であって、前記時系列履歴データファイルを表形式で表示するステップと、前記表形式の時系列履歴データを表示した状態において、時系列履歴データのセル範囲と、日時のセル範囲と、を指定するステップと、前記指定するステップにおいて指定された項目が定義された変換パターンを記憶するステップと、前記変換パターンによって定義された項目を参照して、前記時系列履歴データを前記既定フォーマットのファイルに変換するステップと、を備えるものである。これにより、時系列履歴データを確認しながら指定することができる。よって、規定フォーマットへの変換を簡便に行うことができる。
【００１４】
本発明の第７の態様にかかるデータ管理方法は、上記のデータ管理方法であって、前記規定フォーマットのファイルが修正された場合、修正内容を含む変換パターンを作成するものである。これにより、規定フォーマットのファイルを容易に修正することができる。
【００１５】
本発明の第８の態様にかかるデータ管理方法は、上記のデータ管理方法であって、前記時系列履歴データのファイルが、建物設備の空調制御、又は電力使用に関する帳票形式のファイルであることを特徴とするものである。設備において適切な制御を行っているかを容易に確認することができる。
【００１６】
本発明の第９の態様にかかるデータ管理プログラムは、時系列履歴データファイルを規定フォーマットのファイルに変換して、管理するデータ変換プログラムであって、コンピュータに対して、前記時系列履歴データを表形式で表示させるステップと、前記表形式の時系列履歴データの配列の方向と、開始日時と、刻み時間と、開始セル位置とを指定するための入力領域を表示させるステップと、前記指定領域において指定された項目が定義された変換パターンを記憶させるステップと、前記変換パターンによって定義された項目を参照して、前記時系列履歴データを前記既定フォーマットのファイルに変換させるステップと、を備え、前記表形式の時系列履歴データが表示させた状態において、前記配列の方向と、前記開始日時と、前記開始セル位置とを指定するための入力領域が表示されているものである。これにより、時系列履歴データを確認しながら指定することができる。よって、規定フォーマットへの変換を簡便に行うことができる。
【００１７】
本発明の第１０の態様にかかるデータ管理プログラムは、時系列履歴データを規定フォーマットのファイルに変換して、管理するデータ管理プログラムであって、コンピュータに対して、前記時系列履歴データファイルを表形式で表示させるステップと、前記表形式の時系列履歴データが表示させた状態において、時系列履歴データのセル範囲と、日時のセル範囲と、を指定するための入力領域を表示するステップと、前記指定領域によって指定された項目が定義された変換パターンを記憶させるステップと、前記変換パターンによって定義された項目を参照して、前記時系列履歴データを前記既定フォーマットのファイルに変換させるステップと、を備えるものである。これにより、時系列履歴データを確認しながら指定することができる。よって、規定フォーマットへの変換を簡便に行うことができる。
【００１８】
本発明の第１１の態様にかかるデータ管理プログラムは、上記のデータ管理プログラムであって、前記規定フォーマットのファイルが修正された場合、修正内容を含む変換パターンを作成するものである。これにより、規定フォーマットのファイルを容易に修正することができる。
【００１９】
本発明の第１２の態様にかかるデータ管理プログラムは、上記のデータ管理プログラムであって、前記時系列履歴データのファイルが、建物設備の空調制御、又は電力使用に関する帳票形式のファイルであることを特徴とするものである。設備において適切な制御を行っているかを容易に確認することができる。
【発明の効果】
【００２０】
本発明によれば、規定フォーマットへの変換を簡便に行うことができるデータ表示装置、データ表示方法、及びデータ表示プログラムを提供することができる。
【発明を実施するための最良の形態】
【００２１】
本実施の形態に係るデータ管理装置には、時系列履歴データを規定フォーマットのファイルに変換して、管理するデータ管理装置である。具体的には、データ管理装置コンピュータに対して、前記時系列履歴データを表形式で表示させるステップと、前記表形式の時系列履歴データの配列の方向と、開始日時と、刻み時間と、開始セル位置とを指定するための入力領域を表示させるステップと、前記指定領域において指定された項目が定義された変換パターンを記憶させるステップと、前記変換パターンによって定義された項目を参照して、前記時系列履歴データを前記既定フォーマットのファイルに変換させるステップと、を備えるプログラムを格納している。そして、前記表形式の時系列履歴データが表示させた状態において、前記配列の方向と、前記開始日時と、前記開始セル位置とを指定するための入力領域が表示されている。
【００２２】
以下に、本発明を適用した具体的な実施の形態について、図面を参照しながら詳細に説明する。図１は、設備監視システムの全体構成を模式的に示す図である。
【００２３】
設備監視システムは、例えば、ビルディングなどの建物設備において、設備を監視するものである。設備監視システムには、例えば、複数の設備機器２が設けられている。設備機器２は、建物内の所定の位置に配置されている。設備機器２としては、空調器、ヒータ、加湿器、風量計、温度計、熱量計、電力計、バルブなどが挙げられる。そして、設備機器２は、建物設備内の温度、風量、湿度、消費熱量、消費電力などをモニタしている。すなわち、設備機器２は、建物の各地点における温度、風量、湿度、消費熱量、消費電力などを計測している。設備機器２は、これらの計測データを所定の時間間隔で取得している。例えば、１分毎に計測データを取得することができる。このように、各設備機器２において、計測データの時間変化が取得される。また、設備機器２が複数設置されているため、設備には、計測ポイントが複数設けられている。
【００２４】
そして、設備機器２で計測された計測データは、設備管理装置１に転送される。そして、設備管理装置１は、転送された計測データを記憶する。ここで、ネットワークを介して設備機器２と設備管理装置１とを接続して、設備機器２からの計測データを送信してもよい。例えば、設備機器２で一定期間、計測データを蓄積して、その蓄積された計測データをまとめて、送信する。この場合、一定期間の計測データを含むデータファイルが、設備管理装置１に転送される。さらには、計測データを外部メモリや記憶ディスクなどの記憶媒体に保存して、その記憶媒体の計測データを設備管理装置１が読み出してもよい。この場合、設備機器２と設備管理装置１がネットワークを介して接続されていなくてもよい。もちろん、これらを組み合わせて、計測データを設備管理装置１に転送してもよい。設備機器２からは、建物設備の空調制御、又は電力使用に関する帳票形式のファイルが転送される。
【００２５】
次に、設備管理装置１の構成について説明する。設備管理装置１は、例えば、パーソナルコンピュータなどの演算処理装置であって、設備監視のためのサマリグラフを表示する。すなわち、設備管理装置１は、計測データを表示するためのデータ表示装置である。具体的には、設備管理装置１は、処理部１１、入力部１２、表示部１３、及び記憶部２０を有している。
【００２６】
処理部１１は、ＣＰＵ、ＭＰＵ等を有しており、様々な演算処理を行う。入力部１２は、マウスやキーボードなどの入力手段を有している。そして、ユーザが入力部１２を操作することで各種データが入力される。表示部１３にはＣＲＴや液晶ディスプレイ等の表示装置を有している。表示部１３は、表示画面のウィンドウ上に処理結果等を表示する。また、表示部１３は、設備管理を行うためのサマリグラフを表示する。記憶部２０は、ＲＯＭ（Read Only Memory）、ＲＡＭ（Random Access Memory）、ハードディスク等の内部又は外部の記憶手段を備えている。また、ハードディスクには本実施の形態にかかるオペレーティングシステム、情報処理プログラム及び多数のアプリケーションプログラムがインストールされている。また、記憶部には、後述するようにサマリグラフ中にデータを表示させるためのデータ表示プログラムが格納されている。入力部１２によって入力された情報に基づいて、処理部１１が処理を行い、その結果を表示部１３に表示させる。あるいは、処理結果を記憶部２０に記憶させることが可能となる。例えば、ユーザによって指定された日時における計測データがサマリグラフ等のウィンドウ上に表示される。
【００２７】
ここで、設備には、様々な種類の設備機器２が設置されている。設備機器の種類が異なると、設備管理装置１に転送されるデータファイルのフォーマットが異なっている。例えば、時系列履歴データの並んでいる方向が縦方向であったり、横方向であったりする。また、時系列履歴データの刻み時間が異なっていたり、日付や時刻のフォーマットが異なっていたりする。
【００２８】
設備管理装置１は、時系列に沿って記憶されている計測データを規定フォーマットのデータに変換して、記憶する。すなわち、設備管理装置１は、時系列履歴データのファイルを規定フォーマットに統一する。そして、規定フォーマットのファイルがデータベースとして記憶される。設備管理装置１は、時系列履歴データファイルを規定フォーマットに変換するための変換プログラムを記憶している。さらに、設備管理装置１は、規定フォーマットに変換するための変換パターンを生成するプログラムを記憶している。規定フォーマットのファイルに変換することで、サマリグラフの表示を簡便に行うことができる。
【００２９】
次に、データを変換する処理を行うための構成に付いて説明する。記憶部２０は、時系列履歴データ記憶部２１、変換パターン記憶部２２、及び表データ記憶部２３を有している。なお、それぞれの記憶部は、物理的に同じ記憶装置に設けられていてもよい。
【００３０】
時系列履歴データ記憶部２１は、設備機器２からの時系列履歴データを記憶する。より具体的には、時系列履歴データ記憶部２１は時系列履歴データを含むデータファイルを記憶する。時系列履歴データでは、ヒストリカルな計測データが含まれている。また、時系列履歴データのデータファイルには、１又は２以上の計測ポイントの計測データが含まれている。さらに、設備機器２からのデータファイルには、計測ポイントを識別するためのポイントアドレス、ポイント名称、計測単位、計測日時、計測時刻等が付加されていてもよい。このようなデータファイルは、設備機器２毎に転送されている。したがって、時系列履歴データ記憶部２１には、設備機器２の種類によって、異なるフォーマット形式のデータファイルが記憶されている。
【００３１】
変換パターン記憶部２２は、時系列履歴データ記憶部２１に記憶されている時系列履歴データを規定のフォーマットに変換するための変換パターンが記憶されている。すなわち、この変換パターンを読み込むことによって、時系列履歴データが規定フォーマットの表データファイルに変換される。この変換パターンは設備機器２の種類毎に設定される。すなわち、異なるフォーマットのデータファイルに対しては、異なる変換パターンが登録される。
【００３２】
表データ記憶部２３は、変換パターンを用いて規定のフォーマットに変換された表データを記憶する。したがって、表データ記憶部２３に記憶されている表データのファイルはフォーマットが統一されている。処理部１１が統一された表データを参照して、サマリグラフ等を表示する。
【００３３】
次に、変換パターンの作成について、図２〜図６を用いて説明する。図２〜図６は、変換パターンを作成するために、表示部１３に表示されるウィンドウを示すものである。ここで、変換パターンの作成は、データ変換パターン作成ウィザードによって進んでいく。そして、図２〜図６は、データ変換パターン作成ウィザードのウィンドウを示す図である。すなわち、変換パターンを作成するためのウィザード画面が図２から図６まで、順番に進んでいく。なお、以下の説明における各設定の入力や指定は、マウスやキーボードなどを有する入力部１２によって行われる。例えば、キーボードを用いてファイル名などを入力することができ、マウスを用いて各項目をチェックすることができる。
【００３４】
なお、各ウィンドウにおいて、「次へ」のボタンをクリックすると、次のウィンドウに進み、「戻る」のボタンをクリックすると前のウィンドウに戻る。また、「キャンセル」のボタンをクリックすると変換パターンの作成を中止する。
【００３５】
ある種類の設備機器２からの時系列履歴データに対する変換パターンを作成する場合、設備管理装置１に記憶されている変換パターン作成プログラムを実行する。すると、変換パターン作成プログラムが立ち上がり、図２に示すウィンドウが表示される。図２は、変換パターンを作成するための第１ウィンドウ３０が示されている。第１ウィンドウ３０には、パターン名称入力領域３１、ファイル形式入力領域３２、ファイル種別入力領域３３、区切り文字入力領域３４、引用符入力領域３５、サンプルファイル入力領域３６が表示されている
【００３６】
パターン名称入力領域３１には、作成する変換パターンの名称を入力する。例えば、入力部１２のキーボードなどによって、ユーザが適当な名称を入力する。もちろん、他の変換パターンと重複しないようにパターン名称を登録することが好ましい。ファイル形式入力領域３２には、時系列履歴データのデータファイルのファイル領域を入力する。ここでは、ファイル形式がエクセルファイルかテキストファイルかを指定することができる。もちろん、これら以外のファイル形式を指定するようにしてもよい。
【００３７】
ファイル種別入力領域３３には、ファイル種別を入力する。ここでは、時系列履歴データのデータファイルが日報、月報、時報、３０分報のいずれかであるかを指定することができる。例えば、日報の場合、データファイルに２４時間分の計測データが含まれており、時報の場合、１時間分の計測データが含まれている。さらに、ファイル種別入力領域３３では、時系列履歴データの刻み時間を指定することができる。例えば、時報では、１分刻みの計測データが計測され、日報では１時間刻みで計測データが計測されている。したがって、ファイル種別を入力すると、計測データの刻み時間を指定することができる。このように、指定するファイル種別によって、時系列履歴データの刻み時間が異なっている。もちろん、直接、刻み時間を入力するようにしてもよい。
【００３８】
次に、区切り文字入力領域３４には、区切り文字を入力する。ここでは、各計測データ等を区切っている文字を指定する。例えば、時系列履歴データのデータファイルにおいて、計測データを区切っている文字がカンマ、タブ、セミコロン、その他のいずれかであるかを指定する。後述するように、区切り文字で区切られた値が、時系列履歴データを表形式で表示させる場合において、異なるセルに配置される。
【００３９】
引用符入力領域３５には、引用符を入力する。すなわち、時系列履歴データにおいて、文字列を引用している引用符を指定する。例えば、ダブルクォーテーションを指定した場合、ダブルクォーテーションで囲まれている部分が文字列として認識される。サンプルファイル入力領域３６には、サンプルファイル名称を入力する。すなわち、サンプルファイル入力領域３６では、サンプルファイルとして開くサンプルファイル名称が選択される。ここで入力された名称のサンプルファイルが、後述する第３ウィンドウ５０、及び第４ウィンドウ６０で表示される。上記の入力がしたら、第１ウィンドウ３０の次に進むボタンをクリックして、次のウィンドウに進む。
【００４０】
すると、図３に示す第２ウィンドウ４０が表示される。第２ウィンドウ４０には、ポイントアドレス自動付加設定領域４１、付加ヘッダ入力領域４２、及び桁数入力領域４３が表示されている。ポイントアドレス自動付加設定領域４１では、ポイントアドレスの自動付加を行うか否かを設定する。自動付加を行う場合、ポイントアドレスが自動的に付加される。例えば、同じヘッダーを持つポイントアドレスで一番大きな数値に１を加えた値を自動的に付加する。付加ヘッダー入力領域４２では、ポイントアドレスに対して付加するヘッダーが入力される。自動付加を行う場合、各計測ポイントのポイントアドレスが異なるように、ヘッダー以降の番号が自動的に付されていく。桁数入力領域４３では、ポイントアドレスの総桁数を入力する。ここでは、ヘッダーを含めた総桁数を入力する。
【００４１】
上記の入力が終了したら、第２ウィンドウ４０中の「次へ」のボタンをクリックして、次のウィンドウに進む。すると、図４に示す第３ウィンドウ５０が表示される。第３ウィンドウ５０には、サンプルデータ表示領域５１と入力領域５２とが表示されている。図４では、第３ウィンドウ５０内の左側にサンプルデータ表示領域５１が配置され、右側に入力領域５２が配置されている。さらに、入力領域５２には、時系列方向入力領域５３、日付データ格納場所指定領域５４、日付セル指定領域５５、日付フォーマット指定領域５６、時刻データ格納場所指定領域５７、時刻セル指令領域５８、時刻フォーマット指定領域５９が表示されている。
【００４２】
サンプルデータ表示領域５１は、サンプルファイルのサンプルデータが表形式で表示されている。すなわち、第１ウィンドウ３０で指定した名称のサンプルファイルの一部が表示されている。図４では、サンプルデータ表示領域５１に５×２３のセルを有する表が示されている。したがって、図４に示すように、Ａ列〜Ｅ列、及び１行〜２３行が表示されている。サンプルデータ表示領域５１内の各セルには、例えば、計測データ、計測した日付、時刻、データの単位などが表示されている。すなわち、時系列履歴データのデータファイルに含まれる各計測データは、区切り文字入力領域３４で指定された区切り文字で区切られ、異なるセルに配置された状態で表示される。また、サンプルファイルの全データを閲覧できるようにスクロールバーなどを設けてもよい。
【００４３】
図４に示すように、サンプルデータ表示領域５１の表では、計測した日付がＡ列１行目のセル（以下、Ａ１セルと省略し、他のセルについても同様に省略する）に示されている。
また、温度、及び湿度の計測データが縦方向に並んでいる。具体的には、温度の計測データがＢ４セル〜Ｂ２３セルに配置され、湿度の計測データがＣ４セル〜Ｃ２３セルに配置されている。さらに、温度の単位、及び湿度の単位がそれぞれＢ３セル、及びＣ３セルに示されている。計測時刻がＡ４セル〜Ａ２３セルに配置されている。さらに、図示しない、２４列目以降にも、各種データが配置されている。
【００４４】
ここでは、サンプルファイルを閲覧しながら、以下の入力を行う。すなわち、サンプルファイルの時系列履歴データの一部が表示されている状態で、各種設定の入力が可能になっている。このようにすることで、ユーザが実際のデータファイルを確認しながら設定を行うことができるため、容易に設定することができる。よって、簡便に入力することができ、利便性を向上することができる。ユーザの作業負担を軽減することができる。さらに、同一ウィンドウでサンプルデータ表示領域５１と入力領域５２とが表示されているため、サンプルデータを容易に確認することができる。
【００４５】
まず、時系列方向入力領域５３で、時系列方向の入力を行う。ここでは、時系列が縦方向であるため、縦方向の欄をチェックする。すなわち、表中において、温度の計測データが縦方向に並んでいるため、時系列の方向を縦方向と指定する。日付データ格納場所指定領域５４において、日付データの格納場所を指定する。ここでは、Ａ１セルに日付が示されているため、ファイル内データをチェックする。もちろん、ファイル名に日付が示されている場合は、ファイル名の欄をチェックし、フォルダに日付が示されている場合は、フォルダの欄をチェックする。これにより、計測した日付を指定することができる。
【００４６】
日付データ格納場所指定領域５４において、ファイル内データを指定した場合、日付セル指定領域５５において、日付のセルを指定する。ここでは、計測した日付が格納されているＡ１セルを指定する。日付フォーマット指定領域５６において、日付のフォーマットを指定する。ここでは、Ａ１セルに表示されている日付を参照して、ｙｙｙｙ／ｍｍ／ｄｄを指定する。また、日付が複数のセルに渡って配置されている場合は、日付が配置されているセル範囲を指定する。
【００４７】
時刻データ格納場所指定領域５７において、時刻データ格納場所を指定する。ここでは、Ａ列に計測した時刻が配置されているため、ファイル内データを指定する。時刻がファイル名に含まれている場合は、ファイル名称を指定する。また、時刻が含まれていない場合、相対位置を指定する。すなわち、先頭の計測データのセル位置に対する相対位置と、刻み時間より、計測した時刻を特定することができる。時刻データ格納場所指定領域５７において、時刻のセルを指定する。ここでは、１：００〜２４：００の時刻が格納されているＡ４セル〜Ａ２８セルを指定する。時刻フォーマット指定領域５９において、時刻のフォーマットを指定する。Ａ４セルなどに表示されている時刻を確認して、ＨＨ／ｍｍを指定する。このようにすることで、計測の開始日時が指定される。
【００４８】
上記の入力が終了したら、第３ウィンドウ５０中の「次へ」のボタンをクリックして、次のウィンドウに進む。すると、図５に示す第４ウィンドウ６０が表示される。第４ウィンドウ６０には、データ表示領域６１と入力領域６２とが表示されている。図４では、第４ウィンドウ６０内の左側にデータ表示領域６１が配置され、右側に入力領域６２が配置されている。さらに、入力領域６２には、行列数入力領域６３、ポイントアドレスセル指定領域６４、ポイント名称指定領域６５、データタイプセル指定領域６６、単位セル指定領域６７、データ範囲指定領域６８、データセル範囲指定領域６９が表示されている。
【００４９】
行列数入力領域６３において、１つの計測ポイントの計測データの行数、又は列数を指定する。データ表示領域６１に示すように、１つの計測ポイントの計測データが１列に配置されているため、１を指定する。また、２以上である場合は、データセル範囲指定領域６９において、１つの計測ポイントの計測データが配置されているセル範囲を指定する。
【００５０】
ポイントアドレスセル指定領域６４において、ポイントアドレスのセル範囲を指定する。すなわち、計測ポイントのポイントアドレスが配置されているセル（図示せず）を指定する。ここでは、２計測ポイント（温度と湿度）があるため、２つのセルが指定される。ポイント名称指定領域６５において、ポイント名称のセル範囲を指定する。すなわち、ポイント名称が配置されているセル（図示せず）を指定する。ここでは、温度の計測ポイントと湿度の計測ポイントのポイント名称がそれぞれ指定される。データタイプセル指定領域６６において、計測データのデータタイプのセル範囲を指定する。すなわち、計測データのデータタイプが配置されているセル（図示せず）を指定する。
【００５１】
単位セル指定領域６７では、単位のセル範囲を指定する。すなわち、計測データの単位が配置されているセルを指定する。ここでは、温度の単位である℃、及び湿度の単位である％ＲＨが配置されているＢ３セル、及びＣ３セルが指定される。データ範囲指定領域６８では、分／３０分／時データのセル範囲を指定する。すなわち、実際の計測データが配置されているセル範囲を指定する。ここでは、Ｂ４セル〜Ｃ２８セルが指定される。これにより、時系列履歴データの表における計測データの開始セル位置を指定することができる。
【００５２】
上記の入力が終了したら、第４ウィンドウ６０中の「次へ」のボタンをクリックして、次のウィンドウに進む。すると、図６に示す第５ウィンドウ７０が表示され、変換パターンの作成が完了する。そして、作成した変換パターンが、パターン名称入力領域３１で指定したパターン名称で保存される。すなわち、パターン名称入力領域３１で指定したパターン名称の変換パターンが生成される。変換パターンは、変換パターン記憶部２２に記憶される。この変換パターンには、上記の処理において、指定された項目が定義されている。さらに、「次の処理」のボタンをクリックすると、その変換パターンを用いたパターン変換処理が、処理部１１において、実施される。
【００５３】
なお、上記の説明において、指定する領域の表示位置、表示形式、ウィンドウレイアウト等は一例であり、特に限定されるものではない。例えば、ウィザードウィンドウの数を増やして、各指定領域を異なるウィンドウで表示してもよい。すなわち、上記の説明では、同じウィンドウで定義した項目を、別のウィンドウ上で定義してもよい。もちろん、別のイウィンドウで定義した項目を同じウィンドウで定義してもよい。
【００５４】
このように、時系列方向入力領域５３において、時系列履歴データの配列の方向が指定される。日付セル指定領域５５及び時刻セル指令領域５８において、時系列履歴データの開始日時が指定される。ファイル種別入力領域３３において、時系列履歴データの刻み時間が指定される。データ範囲指定領域６８において、時系列履歴データの開始セル位置が指定される。これらの指定は、入力部１２によって指定可能になっている。そして、表示部１３は、少なくとも配列の方向、開始日時、及び開始セル位置を指定させるために、時系列履歴データファイルの少なくとも一部の内容を表形式で表示する。そして、時系列履歴データを表示している状態で、配列の方向、開始日時、及び開始セル位置を行う。これにより、確実、かつ簡便に指定することができる。
【００５５】
上記の変換パターンを用いて、データ変換を行うと、規定フォーマットの表データファイルが得られる。すなわち、データ変換プログラムを起動して、使用する変換パターンを指定する。さらに、変換対象となる時系列履歴データのデータファイルを選択する。変換後の表データファイルは、例えば、図７に示すようなＤＭＳフォーマットになる。図７に示すように、表データでは、行列方向にデータが並んでいる。すなわち、各データや識別子がマトリクス状に配置され、表データとなる。ここでは、１つの変換パターンを指定するとともに、１又は２以上のデータファイルを読み込んで、データ変換処理を行う。すなわち、１つの変換パターンを指定すると、その変換パターンに基づいて１、又は２以上のデータファイルが規定フォーマットのファイルに変換される。
【００５６】
規定フォーマットのファイルでは、図７に示すように、左側から順に、日付セル８１、ポイントアドレスセル８２、ポイント名称セル８３、データタイプセル８４、単位セル８５、及び計測データセル８６が並んでいる。日付セル８１には、計測した日付が格納される。ポイントアドレスセル８２には、各計測ポイントのポイントアドレスが格納される。ポイント名称セル８３には、ポイント名称が格納される。データタイプセル８４にはデータタイプが格納される。単位セル８５が格納される。計測データセルには、計測データが格納される。さらに、１つのポイントアドレスに関するデータが１行に格納されている。例えば、最上行は、ポイントアドレス９９９００００１に関する日付、ポイントアドレス、ポイント名称、データタイプ、単位、計測データが横方向に並んで示されている。また。各行には、各ポイントでの計測データが並んで配置されている。もちろん、各行に配置された複数の計測データは、指定された刻み時間になっている
【００５７】
このように、同じ設備機器２、又は同じ種類の設備機器２からの時系列履歴データのデータファイルを選択して変換処理を行う。すると、図７に示すような表形式のファイルに変換される。また、変換パターンを作成することによって、同一の変換処理を繰り返し行うことができる。よって、ある設備機器２からの時系列履歴データの変換を容易に行うことができる。また、異なる種類の設備機器２に対しては、異なる変換パターンを作成する。そして、それぞれの変換パターンを用いて、規定フォーマットのファイルに変換する。これにより、時系列履歴データのフォーマットが統一され、データベースに取り込まれる。
【００５８】
なお、上記の変換パターンの作成処理において、一部の指定を省略してもよい。例えば、予め区切り文字が限られている場合は、区切り文字入力領域３４において、区切り文字を指定しなくてもよい。少なくとも、時系列履歴データの配列方向、開始日時、刻み時間、及び開始セル位置を指定すればよい。
【００５９】
あるいは、時系列履歴データの配列方向、開始日時、刻み時間、及び開始セル位置の代わりに、時系列履歴データのファイル中において、計測日時が配置されたセル範囲と、計測データのセル範囲を指定するようにしてもよい。すなわち、表示部で表示された表形式の時系列履歴データにおいて、計測データのセル範囲、及び計測日時のセル範囲を入力する。このように、刻み時間を入力するのではなく、絶対時間を入力するようにしてもよい。また、隣接するセルの差を取れば、刻み時間を間接的に指定することができる。また、計測データのセル範囲を指定することによって、配列の方向が間接的に指定される。すなわち、縦方向に長いセル範囲を指定すれば、配列の方向が縦方向であることが指定される。この場合も、時系列履歴データの一部を閲覧しながら、入力可能とすれば、作業負担を軽減することができる。
【００６０】
さらに、作成した変換パターンを適宜修正することも可能である。例えば、図７に示す表形式のファイルを読み込んで、表示部１３に表示させる。すなわち、変換後のファイルを表示させる。そして、変換した表形式のファイルを閲覧しながら、そのファイル内のセルを修正、変更、追加する。その修正、変更、追加処理をマクロ機能のように、記憶させる。そして、この処理を変換パターンに追加して、変換パターンを更新する。更新された変換パターンを実行すると、表データの内容が更新される。このように、変換パターンを適宜修正することで、より利便性を向上することができる。
【００６１】
すなわち、計測ポイントのポイントアドレス、ポイント名称、単位、データ形式などの識別子を１以上修正する。なお、識別子とは、表データのファイルにおける、計測データ以外の文字列、数値などを示すものとする。そして、修正された場合、その修正内容を含む変換パターンを作成する。すなわち、ユーザが、ポイント名称などの識別子を修正して、変換パターンとして登録する。この変換パターンで変換を行うことによって、特定の識別子に対する同一の修正を繰り返し行うことができる。すなわち、異なる表データについても、特定のセルに配置された識別子に対して同じ修正が行われる。これにより、規定フォーマットのファイルを容易に修正することができる。
【００６２】
図７において、例えば、一列目に配置されたポイントアドレス９９９０００００１のポイント名称を「ＴＡ１０」から「ＴＡ１００」に修正して、その修正内容を変換パターンとして記憶したとする。別のファイルに対して、この変換パターンで変換を行うと、一列目のポイント名称が「ＴＡ１００」に修正され、表データのファイルが更新される。すなわち、別のデータファイルについても、識別子を同様に修正することができる。このようにすることで、同じ設備機器２からの時系列履歴データに対して、同じ修正を行うことができる。例えば、異なる日の時系列履歴データが異なるデータファイルで転送される場合でも、変換後のファイルに対して同じ修正を行うことができる。よって、識別子を修正する手間を省くことができる。ユーザの作業負担を低減することができ、利便性を向上することができる。
【００６３】
なお、上記の説明では、時系列履歴データ中の文字列により、識別子を指定したが、これに限られるものではない。また、識別子の指定は、自動入力であってもよく、ユーザによる文字入力であってもよい。さらには、時系列履歴データにおける文字列の指定でもよい。そして、指定された識別子が修正され、変換後のファイルに組み込まれる。このように、設備管理装置１に、識別子を補完する機能を設けてもよい。なお、識別子を修正するための変換パターンを図２〜図６の処理で作成した変換パターンに組み込んで、一つの変換パターンのファイルとして保存してもよい。この場合、修正内容が変換パターンの一部として登録される。あるいは、識別子を修正するための変換パターンを図２〜図６の処理で作成した変換パターンと別のファイルとして保存してもよい。このように処理部１１によって変換された規定フォーマットのファイルを修正し、修正内容を記憶することで、変換パターンが編集される。したがって、異なるファイルに対しても繰り返し同じ修正を行うことができる。
【００６４】
次に変換パターンの作成方法について、図８を用いて説明する。図８は、変換パターンの作成手順を示すフローチャートである。まず、変換パターンを作成するためのサンプルファイルを指定する（ステップＳ１０１）。ここでは、１つのサンプルファイルを指定する。例えば、図２に示した第１ウィンドウ３０において、サンプルファイル名称を入力する。すると、指定されたファイル名のサンプルファイルを読み込み（ステップＳ１０２）、サンプルファイルを表示させる（ステップＳ１０３）。これにより、第３ウィンドウ５０、及び第４ウィンドウ６０に示すように、サンプルファイルの少なくとも一部が表示される。そして、日時データ、計測データの格納場所を指定する（ステップＳ１０４）。すなわち、表示されている時系列履歴データを閲覧しながら、日時データ、計測データの指定を行う。そして、変換パターンを保存する（ステップＳ１０５）。これにより、各項目が定義された変換パターンのファイルが生成される。次回から、この変換パターンを読み込むことで、同一の変換処理を繰り返し行うことができる。
以上のとおり、本発明では、空調の管理や電力の管理などで用いられる時系列履歴データの特徴である一定間隔の周期で計測されたデータが、それぞれ特定の時刻と直接的もしくは間接的に紐付けされ、一定方向へ列挙されている点に着目し、対象データに特化された入力項目と対象データの特徴入力を容易にするインターフェースを持つことで簡便さを実現したものである。
【００６５】
次に、図９を用いて、上記の変換パターンを用いた変換処理について説明する。図９は、データ変換方法を示すフローチャートである。
【００６６】
まず、変換パターン、及び変換対象ファイルを指定する（ステップＳ２０１）。すなわち、変換対象ファイルに応じた変換パターンを選択する。なお、ここでは、２以上の変換対象ファイルを指定してもよい。すると、処理部１１が指定された変換パターン、及び変換対象ファイルを読み込む（ステップＳ２０２）。そして、変換パターンに定義されている項目に基づいて、変換を実行する（ステップＳ２０３）。すなわち、処理部１１は、変換パターンに定義されている項目を参照して、変換対象ファイルを規定フォーマットのファイルに変換する。例えば、時系列履歴データの各データを抽出して、規定フォーマットのファイルに変換する。変換する。
【００６７】
そして、表示部１３は、変換結果を確認するための確認画面を表示する（ステップＳ２０４）。すなわち、変換された規定フォーマットのファイルを読み込んで、表示させる。そして、ユーザが確認画面を閲覧しながら、変換結果の修正、及び保存先を指定する（ステップＳ２０５）。また、変換パターンの修正等を行って、修正内容を変換パターンとして記憶してもよい。すなわち、識別子の修正を行い、その修正内容を変換パターンに追加する。そして、定形ファイルを出力する（ステップＳ２０６）。このようにして、規定フォーマットへの変換処理が実行される。上記のように変換パターンを用いることによって、簡便にデータを変換することができる。
【００６８】
もちろん、上記の装置は物理的に１つの装置でなくてもよい。また、変換パターンの作成処理と、変換処理は異なるコンピュータで行ってもよい。設備管理装置１を構成するためにコンピュータにインストールされた各種のプログラムは記録媒体に格納することも可能であり、また通信媒体を介して伝達されることも可能である。建物設備の空調制御、又は電力使用に関する帳票形式のファイルに対して変換処理を行うことで、サマリグラフの表示が可能となる。よって、設備において適切な制御を行っているかを容易に確認することができる。よって、省エネルギー管理の作業に資することができる。尚、上述の実施の形態では、ビルディングの監視、管理に使用した例について説明したが、これに限られず様々な建築物、建物設備、商業施設等に利用することが可能である。
【図面の簡単な説明】
【００６９】
【図１】設備監視システムの構成を模式的に示すブロック図である。
【図２】本実施の形態にかかるデータ管理方法において表示されるウィンドウの一例を示す図である。
【図３】本実施の形態にかかるデータ管理方法において表示されるウィンドウの一例を示す図である。
【図４】本実施の形態にかかるデータ管理方法において表示されるウィンドウの一例を示す図である。
【図５】本実施の形態にかかるデータ管理方法において表示されるウィンドウの一例を示す図である。
【図６】本実施の形態にかかるデータ管理方法において表示されるウィンドウの一例を示す図である。
【図７】本実施の形態にかかるデータ管理方法において変換された表形式のデータファイルを示す図である。
【図８】本実施の形態にかかる変換パターンの作成方法を示すフローチャートである。
【図９】本実施の形態にかかるデータ変換方法を示すフローチャートである。
【符号の説明】
【００７０】
１  設備管理装置、  ２  設備施設、  １１  処理部、  １２  入力部、
１３  表示部、
２０  記憶部、
２１  時系列記憶データ記憶部、  ２２  変換パターン記憶部、
２３  表データ記憶部
３０  第１ウィンドウ、
３１  パターン名称入力領域、  ３２  ファイル形式入力領域、
３３  ファイル種別入力領域、  ３４  区切り文字入力領域、
３５  引用符入力領域、  ３６  サンプルファイル入力領域、
４０  第２ウィンドウ
４１  ポイントアドレス自動付加設定領域、  ４２  付加ヘッダー入力領域
４３  桁数入力領域、
５０  第３ウィンドウ
５１  サンプルデータ表示領域、  ５２  入力領域、  ５３  時系列方向入力領域
５４  日付データ格納場所指定領域、  ５５  日付セル指定領域
５６  日付フォーマット指定領域、  ５７  時刻データ格納場所指定領域
５８  時刻セル指令領域、  ５９  時刻フォーマット指定領域
６０  第４ウィンドウ
６１  データ表示領域、  ６２  入力領域、  ６３  行列数入力領域
６４  ポイントアドレスセル指定領域、  ６５  ポイント名称指定領域
６６  データタイプセル指定領域、  ６７  単位セル指定領域
６８  データ範囲指定領域、  ６９  データセル範囲指定領域
７０  第５ウィンドウ
８１  日時セル、  ８２  ポイントアドレスセル、  ８３  ポイント名称セル
８４  データタイプセル、  ８５  単位セル、  ８６  計測データセル
【図１】
2009169882.tif 000003
【図２】
2009169882.tif 000004
【図３】
2009169882.tif 000005
【図４】
2009169882.tif 000006
【図５】
2009169882.tif 000007
【図６】
2009169882.tif 000008
【図７】
2009169882.tif 000009
【図８】
2009169882.tif 000010
【図９】
2009169882.tif 000011